【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
ロイヤルティ口座間でのロイヤルティポイントの移動を容易にするコンピュータに実装された方法であって、該方法は、
ホストコンピュータにおいて、第１のロイヤルティ口座から第２のロイヤルティ口座へロイヤルティポイントを移動させるための要求を受け取ることと、
該ロイヤルティポイントの移動に関して何ら制約が存在しないことを決定するために、該ホストコンピュータにおいて、該第１のロイヤルティ口座および該第２のロイヤルティ口座のうちの少なくとも１つに関連付けられたロイヤルティポイントのタイプ、レベルおよびクラスのうちの少なくとも１つを分析することと、
該ホストコンピュータにおいて、該第１のロイヤルティ口座の第１のロイヤルティポイント残高に関するデータを取得することと、
該ホストコンピュータにおいて、該第１のロイヤルティ口座の該第１のロイヤルティポイント残高の一部を引き落とすことと、
該ホストコンピュータにおいて、該第２のロイヤルティ口座の第２のロイヤルティポイント残高の信用貸しすることと
を包含する、コンピュータに実装された方法。
【請求項２】
前記移動させるための要求を受け取るステップ、データを取得するステップ、引き落とすステップ、および信用貸しするステップのうちの少なくとも１つが実質的にリアルタイムで起こる、請求項に１記載のコンピュータに実装された方法。
【請求項３】
前記要求を受け取るステップは、
前記第１のロイヤルティ口座に関連付けられた消費者から要求を受け取るステップ、
前記第２のロイヤルティ口座に関連付けられた消費者から要求を受け取るステップ、
サードパーティから要求を受け取るステップ、および
トリガーイベントに基づいて、要求を受け取るステップのうちの少なくとも１つを包含する、請求項１に記載のコンピュータに実装された方法。
【請求項４】
前記ロイヤルティポイントの移動に関する制約が、前記第１ロイヤルティ口座および前記第２のロイヤルティ口座のうちの少なくとも１つに関連付けられているかどうかを決定するために、該第１のロイヤルティ口座および該第２のロイヤルティ口座のうちの少なくとも１つに関連付けられた消費者のタイプ、レベル、およびクラスのうちの少なくとも１つを分析することをさらに包含する、請求項１に記載のコンピュータに実装された方法。
【請求項５】
前記ロイヤルティポイントを移動させるための要求を受け取るステップは、
トリガーイベントに基づいて、ロイヤルティポイントを移動させるための要求を受け取るステップを包含し、該トリガーイベントは、
前記第１のロイヤルティ口座が所定の閾値の量より低い該第１のロイヤルティポイント残高を有すること、および
一定の期間、所定の期間、一定の日まで、任意の日まで、要求された期間、一定の原則に基づく期間、イベントが起きるまで、ノンイベントまで、および所定のデータポイントのうちの少なくとも１つの期間の間、該第１のロイヤルティ口座が休止状態のままであることのうちの少なくとも１つを含む、請求項１に記載のコンピュータに実装された方法。
【請求項６】
前記第１のロイヤルティ口座に関連付けられた前記ロイヤルティポイントの第１のポイント値を前記第２のロイヤルティ口座に関連付けられた第２のポイント値に換算することをさらに包含する、請求項１に記載のコンピュータに実装された方法。
【請求項７】
前記第２のロイヤルティ口座に信用貸しされた前記ロイヤルティポイントの量よりも少ない前記要求されたロイヤルティポイントの量と等しい量を第３のロイヤルティ口座に信用貸しすることをさらに包含する、請求項１に記載のコンピュータに実装された方法。
【請求項８】
前記第１のロイヤルティ口座に関連付けられた第１の消費者および前記第２のロイヤルティ口座に関連付けられた第２の消費者のうちの少なくとも一方に前記ロイヤルティポイントの移動を知らせることをさらに包含する、請求項１に記載のコンピュータに実装された方法。
【請求項９】
前記ロイヤルティポイントの移動が完了すると、前記第１のロイヤルティ口座を閉じることをさらに包含する、請求項１に記載のコンピュータに実装された方法。
【請求項１０】
複数の命令を格納した機械可読媒体であって、プロセッサによって実行される際に該複数の命令は、該プロセッサに方法を行わせ、該方法は、
ホストコンピュータにおいて、第１のロイヤルティ口座から第２のロイヤルティ口座へロイヤルティポイントを移動させるための要求を受け取ることと、
該ロイヤルティポイントの移動に関して何ら制約が存在しないことを決定するために、該ホストコンピュータにおいて、該第１のロイヤルティ口座および該第２のロイヤルティ口座のうちの少なくとも１つに関連付けられたロイヤルティポイントのタイプ、レベルおよびクラスのうちの少なくとも１つを分析することと、
該ホストコンピュータにおいて、該第１のロイヤルティ口座の第１のロイヤルティポイント残高に関するデータを取得することと、
該ホストコンピュータにおいて、該第１のロイヤルティ口座の該第１のロイヤルティポイント残高の一部を引き落とすことと、
該ホストコンピュータにおいて、該第２のロイヤルティ口座の第２のロイヤルティポイント残高の信用貸しすることと
を包含する、機械可読媒体。
【請求項１１】
前記移動させるための要求を受け取るステップ、データを取得するステップ、引き落とすステップ、および信用貸しするステップのうちの１つが実質的にリアルタイムで起こる、請求項１０に記載の機械可読媒体。
【請求項１２】
前記要求を受け取るステップは、
前記第１のロイヤルティ口座に関連付けられた消費者から要求を受け取るステップ、
前記第２のロイヤルティ口座に関連付けられた消費者から要求を受け取るステップ、
サードパーティから要求を受け取るステップ、および
トリガーイベントに基づいて、要求を受け取るステップのうちの１つを包含する、請求項１０に記載の機械可読媒体。
【請求項１３】
前記方法は、
前記ロイヤルティポイントの移動に関する制約が、前記第１ロイヤルティ口座および前記第２のロイヤルティ口座のうちの少なくとも１つに関連付けられているかどうかを決定するために、該第１のロイヤルティ口座および該第２のロイヤルティ口座のうちの１つに関連付けられた消費者のタイプ、レベル、およびクラスのうちの１つを分析することをさらに包含する、請求項１０に記載の機械可読媒体。
【請求項１４】
前記ロイヤルティポイントを移動させるための要求を受け取るステップは、
トリガーイベントに基づいて、ロイヤルティポイントを移動させるための要求を受け取るステップを包含し、該トリガーイベントは、
前記第１のロイヤルティ口座が所定の閾値の量より低い該第１のロイヤルティポイント残高を有すること、および
一定の期間、所定の期間、一定の日まで、任意の日まで、要求された期間、一定の原則に基づく期間、イベントが起きるまで、ノンイベントまで、および所定のデータポイントのうちの１つの期間の間、該第１のロイヤルティ口座が休止状態のままであることのうちの１つを含む、請求項１０に記載の機械可読媒体。
【請求項１５】
前記方法は、
前記第１のロイヤルティ口座に関連付けられた前記ロイヤルティポイントの第１のポイント値を前記第２のロイヤルティ口座に関連付けられた第２のポイント値に換算することをさらに包含する、請求項１０に記載の機械可読媒体。
【請求項１６】
前記方法は、
前記第２のロイヤルティ口座に信用貸しされた前記ロイヤルティポイントの量よりも少ない前記要求されたロイヤルティポイントの量と等しい量を第３のロイヤルティ口座に信用貸しすることをさらに包含する、請求項１０に記載の機械可読媒体。
【請求項１７】
前記方法は、
前記第１のロイヤルティ口座に関連付けられた第１の消費者および前記第２のロイヤルティ口座に関連付けられた第２の消費者のうちの一方に前記ロイヤルティポイントの移動を知らせることをさらに包含する、請求項１０に記載の機械可読媒体。
【請求項１８】
前記方法は、
前記ロイヤルティポイントの移動が完了すると、前記第１のロイヤルティ口座を閉じることをさらに包含する、請求項１０に記載の機械可読媒体。
【請求項１９】
ロイヤルティ口座間でのロイヤルティポイントの移動を容易にするコンピュータに実装された方法であって、該方法は、
ホストコンピュータにおいて、第１のロイヤルティ口座から第２のロイヤルティ口座へロイヤルティポイントを移動させるための要求を受け取ることと、
該ロイヤルティポイントの移動に関して制約が該第１のロイヤルティ口座および該第２のロイヤルティ口座のうちの少なくとも１つに何ら関連付けられていないことを決定するために、該ホストコンピュータにおいて、該第１のロイヤルティ口座および該第２のロイヤルティ口座のうちの少なくとも１つに関連付けられた消費者のタイプ、レベルおよびクラスのうちの少なくとも１つを分析することと、
該ホストコンピュータにおいて、該第１のロイヤルティ口座の第１のロイヤルティポイント残高に関するデータを取得することと、
該ホストコンピュータにおいて、該第１のロイヤルティ口座の該第１のロイヤルティポイント残高の一部を引き落とすことと、
該ホストコンピュータにおいて、該第２のロイヤルティ口座の第２のロイヤルティポイント残高の信用貸しをすることと
を包含する、コンピュータに実装された方法。